(57)【特許請求の範囲】
【請求項１】
光源と、
前記光源からの光ビームを偏向する偏向手段と、
前記光ビームを偏向手段に導くカップリングレンズを含む第１光学系と、
前記偏向手段により偏向された光束を所望の形状に結像させる光学素子と、
前記光源と前記偏向手段と前記光学素子とを保持するハウジングと、
を備え、
前記ハウジングは、前記光源を複数装填可能な取り付け部と、前記カップリングレンズを固定した接着固定部とを有し、
前記接着固定部は、前記光源から被走査面への光路上の複数カ所に設けられ、該光路上の前記光ビームの光軸方向から見て円弧状をなしており、
前記カップリングレンズと前記接着固定部との間に、該カップリングレンズを該接着固定部に固定した接着剤の層を有し、
複数の前記接着固定部の前記円弧状の円弧半径が互いに異なる光走査装置。
【請求項２】
複数の前記接着固定部のうち前記光源から遠い側の接着固定部の前記光軸方向の長さが前記光源から近い側の接着固定部の該光軸方向の長さより長いことを特徴とする請求項１記載の光走査装置。
【請求項３】
前記取り付け部は、前記光源の光軸と垂直方向で該光源の位置決めを行う位置決め部を備え、
該位置決め部は、前記垂直方向での前記光源の外径よりも大きい円弧形状とされていることを特徴とする請求項１または２記載の光走査装置。
【請求項４】
前記位置決め部は、前記円弧形状の周方向に、前記光源の光出射側と反対側で該光源の光軸方向に沿って形成されたガイド部を有することを特徴とする請求項３記載の光走査装置。
【請求項５】
前記ガイド部は、前記周方向において、少なくとも、前記円弧形状の円弧中心を挟んで対向する２カ所に設けられていることを特徴とする請求項４記載の光走査装置。
【請求項６】
前記取り付け部は前記光源の光出射側の面を突き当てる突き当て面を備え、
前記面を前記突き当て面に突き当てた状態で前記光源を固定する取り付け部材を有することを特徴とする請求項１ないし５の何れか１つに記載の光走査装置。
【請求項７】
潜像担持体に対して光書き込みにより形成された静電潜像を可視像処理する画像形成装置であって、前記光書き込みのための光走査装置として、請求項１ないし６の何れか１つに記載の光走査装置を有することを特徴とする画像形成装置。
【請求項８】
前記光走査装置は、前記潜像担持体への走査光を反射させて導光する長尺ミラーを保持する第２のハウジングに対して締結固定されて一体化されていることを特徴とする請求項７記載の画像形成装置。
【発明の詳細な説明】
【技術分野】
【０００１】
本発明は、光走査装置および画像形成装置に関し、さらに詳しくは、仕様変更への対応を可能にする部品設置構造に関する。
【背景技術】
【０００２】
電子写真方式を用いたプリンタ、ファクシミリ、複写装置さらにはプロッタなどの各種画像形成装置においては、感光体ドラムなどの潜像担持体の移動過程において均一帯電、光書き込みによる静電潜像形成、トナーを用いた可視像処理、可視像を記録紙等に転写する転写処理および転写された可視像の定着処理を経て出力画像が得られる。
【０００３】
静電潜像形成に用いられる装置の一つとして、回転可能な偏向走査手段としての回転多面鏡が知られている。
回転多面鏡は、感光体ドラムの主走査方向に沿って光ビームを走査する光走査装置に用いられる。
【０００４】
光走査装置の構成としては、半導体レーザ等の光源と偏向走査手段である回転多面鏡との間の光路中に設けられたカップリングレンズ、アパーチャそしてシリンドリカルレンズと、回転多面鏡と被走査面である感光体ドラムとの間に設けられたｆθレンズおよび面倒れ補正レンズを含む走査レンズ群と、走査レンズと感光体ドラムとの間に設けられたミラーを備えた構成が知られている。
【０００５】
ところで、近年では、プリント速度の高速化が望まれてきており、このための対策として、標準仕様に基づき設けられている回転多面鏡の回転数を変更することや、光源に用いられる半導体レーザを複数化してマルチビームを用いることなどが検討されている。
【０００６】
標準仕様からの変更時には、標準仕様とは別に複数の半導体レーザや回転数を変更した仕様の回転多面鏡を組み込んだ光学ユニットを準備しておいたり、あるいは新規設計によって仕様変更に応じた光走査装置を準備しておき、仕様変更に順じて画像形成装置への組み込み内容を選択できるようにしている。
【０００７】
しかし、新規な設計によって構成した光走査装置を用いたり、光学ユニットを新たに製造することは、設計コストを始め、製造に用いられる金型などの変更や新規制作による製造コストの上昇を招く虞がある。
そこで、回転多面鏡の速度を変更する場合を対象として、次の構成が提案されている。
つまり、標準仕様を前提として回転多面鏡を取り付けた駆動回路基板をダミーの基板に取り替え、駆動回路基板を光学ハウジングとは別の位置に設けるようにした構成である（例えば特許文献１）。
【０００８】
上記特許文献１に開示された構成では、回転多面鏡の高速回転時に発生する熱が駆動回路基板、およびこれに設けられている素子に対して悪影響を及ぼすのを防ぐために、光学ハウジングに予め準備されている基板取り付け位置を利用することにより標準仕様を前提として用いられる光学ハウジングをそのまま適用できる点が特徴となっている。
【発明の概要】
【発明が解決しようとする課題】
【０００９】
しかし、特許文献１に開示されているように、１ビームによる走査を高速化するために、偏向器を高速回転可能なタイプに変更すると、高速回転可能な偏向器はそれ自体のコストが高く、また、高速回転に伴う風切り音等の騒音を低減する防音手段が必要になるため、光走査装置の大幅なコスト高を招く。
【００１０】
本発明の目的は、上記従来の光走査装置における問題に鑑み、標準仕様から仕様変更された場合の部品変更に際して新たに装置の製造を行うことなく、共通するハウジングを用いて新たな仕様に対応できる構成を備えた光走査装置および画像形成装置を提供することにある。特に、コスト上昇を招くことなく新たな仕様に対応できる光走査装置および画像形成装置を得ることにある。
【課題を解決するための手段】
【００１１】
この目的を達成するため、本発明は、光源と、前記光源からの光ビームを偏向する偏向手段と、前記光ビームを偏向手段に導くカップリングレンズを含む第１光学系と、前記偏向手段により偏向された光束を所望の形状に結像させる光学素子と、前記光源と前記偏向手段と前記光学素子とを保持するハウジングと、を備え、前記ハウジングは、前記光源を複数装填可能な取り付け部と、前記カップリングレンズを固定した接着固定部とを有し、前記接着固定部は、前記光源から被走査面への光路上の複数カ所に設けられ、該光路上の前記光ビームの光軸方向から見て円弧状をなしており、前記カップリングレンズと前記接着固定部との間に、該カップリングレンズを該接着固定部に固定した接着剤の層を有し、複数の前記接着固定部の前記円弧状の円弧半径が互いに異なる光走査装置にある。
【発明の効果】
【００１２】
本発明によれば、標準仕様から仕様変更に応じて光源およびカップリングレンズの数量変更を行うことでハウジング自体への仕様変更を行わないで済ませることができる。特に、光源の数量変更に応じてカップリングレンズの配置構造を選択でき、しかも、ビーム数が増えた場合でもカップリングレンズ接着固定部の位置調整が可能であることから、カップリングレンズの焦点距離を変更できることにより光量を最適化してハウジング側での仕様変更を行うことなく仕様変更に拘わらず共通化することができる。
【図面の簡単な説明】
【００１３】
【図１】一実施形態にかかる光走査装置を用いる画像形成装置の構成を説明するための図である。
【図２】一実施形態にかかる光走査装置の構成を説明するための図である。
【図３】図２に示した光走査装置の要部構成を示す斜視図である。
【図４】図３に示した光走査装置における光源取り付け部の構成を説明するための図である。
【図５】図３に示した光走査装置におけるカップリングレンズの接着固定部の構成を説明するための図である。
【図６】図４に示した光源取り付け部の詳細構成を説明するための図である。
【図７】図６に示した光源取り付け部に光源を取り付けた状態を説明するための図である。
【発明を実施するための形態】
【００１４】
以下、図面に基づき本発明を実施するための形態について説明する。
図１は、本発明実施例による光走査装置が適用される画像形成装置を示しており、同図に示した画像形成装置は、複数の色画像を形成する作像部がベルトの展張方向に沿って並置されたタンデム方式を用いるカラープリンタあるが、本発明はこの方式に限ることはなく、またプリンタだけではなく複写機やファクシミリ装置などを対象とすることも可能である。
【００１５】
図１において画像形成装置１００は、イエロー、シアン、マゼンタ、ブラックの各色に色分解された色にそれぞれ対応する像としての画像を形成可能な像担持体としての感光体ドラム２０Ｙ、２０Ｃ、２０Ｍ、２０Ｂｋを並設したタンデム構造が採用されている。
【００１６】
図１に示す構成の画像形成装置１００は、各感光体ドラム２０Ｙ、２０Ｃ、２０Ｍ、２０Ｂｋに形成された可視像が、各感光体ドラム２０Ｙ、２０Ｃ、２０Ｍ、２０Ｂｋに対峙しながら矢印Ａ１方向に移動可能な無端ベルトが用いられる中間転写体（以下、転写ベルトという）１１に対して１次転写行程を実行してそれぞれの画像が重畳転写され、その後、記録シートなどが用いられる転写紙Ｓに対して２次転写行程を実行することで一括転写されるようになっている。
【００１７】
各感光体ドラムの周囲には、感光体ドラムの回転に従い画像形成処理するための装置が配置されており、いま、ブラック画像形成を行う感光体ドラム２０Ｂｋを対象として説明すると、感光体ドラム２０Ｂｋの回転方向に沿って画像形成処理を行う帯電装置３０Ｂｋ，現像装置４０Ｂｋ、１次転写ローラ１２Ｂｋおよびクリーニング装置５０Ｂｋが配置されている。帯電後に行われる書き込みは、後述するように、光走査装置８が用いられる。
【００１８】
転写ベルト１１に対する重畳転写は、転写ベルト１１がＡ１方向に移動する過程において、各感光体ドラム２０Ｙ、２０Ｃ、２０Ｍ、２０Ｂｋに形成された可視像が、転写ベルト１１の同じ位置に重ねて転写されるよう、転写ベルト１１を挟んで各感光体ドラム２０Ｙ、２０Ｃ、２０Ｍ、２０Ｂｋに対向して配設された１次転写ローラ１２Ｙ、１２Ｃ、１２Ｍ、１２Ｂｋによる電圧印加によって、Ａ１方向上流側から下流側に向けてタイミングをずらして行われる。
【００１９】
各感光体ドラム感光体ドラム２０Ｙ、２０Ｃ、２０Ｍ、２０Ｂｋは、Ａ１方向の上流側からこの順で並んでいる。各感光体ドラム感光体ドラム２０Ｙ、２０Ｃ、２０Ｍ、２０Ｂｋは、イエロー、シアン、マゼンタ、ブラックの画像をそれぞれ形成するための画像ステーションに備えられている。
【００２０】
画像形成装置１００は、各色の画像形成処理を行う４つの画像ステーションと、各感光体ドラム２０Ｙ、２０Ｃ、２０Ｍ、２０Ｂｋの上方に対向して配設され、転写ベルト１１及び１次転写ローラ１２Ｙ、１２Ｃ、１２Ｍ、１２Ｂｋを備えた転写ベルトユニット１０と、転写ベルト１１に対向して配設され転写ベルト１１に従動し、連れ回りする転写部材としての転写ローラである２次転写ローラ５と、転写ベルト１１に対向して配設され転写ベルト１１上をクリーニングする中間転写ベルトクリーニング装置１３と、これら４つの画像ステーションの下方に対向して配設された光書き込み装置としての光走査装置８とを有している。
【００２１】
図２および図３は、光走査装置８の構成を説明するための図である。
光走査装置８は、装置本体の不動部に設置されるハウジング８００を備えており、ハウジング８００内には、レーザ光を出射する光源である半導体レーザ１０１（以下、便宜上ＬＤを称する場合もある）を備えた光源部８１，発散光状態で出射されるレーザ光を平行光に変換するカップリングレンズ８２，図示しないが平行光を所望の形状に成形するためのアパーチャ、アパーチャにより成形されたレーザ光を線状（ビーム状）に集光するシリンドリカルレンズ８３，正多角形の側面に反射面を有し高速回転によりレーザ光を偏向・走査する偏向手段として用いられるポリゴンスキャナ８５の設置部を密閉する防音ガラス８４（図３参照），ｆθ補正機能と面倒れ補正機能を併せ持つ走査レンズ８６，感光体ドラム２０（Ｙ，Ｃ，Ｍ，Ｂｋ）へとレーザ光を導く反射ミラー８７，８７’（ａ，ｂ，ｃ，ｄ）、ハウジング８００の上段部および下段部を密閉する上段蓋８０１，下段蓋８０１’のうちで上段蓋８０１に設けられてハウジング８００内への塵などの侵入を防止する防塵ガラス８８（ａ，ｂ，ｃ，ｄ）がそれぞれ設けられている。なお、図２において符号Ｌ１〜Ｌ４は、感光体ドラム２０（Ｙ，Ｃ，Ｍ．Ｂｋ）への光路を示している。
上述した光源からポリゴンスキャナへとレーザ光を導くカップリングレンズおよびシリンドリカルレンズ８３は第１光学系を構成する部材として用いられている。
【００２２】
図４は、図２に示した光源部８１の詳細構造を示す図であり、同図において光源部８１は、光源として用いられる半導体レーザ１０１の装填部と装填された半導体レーザ１０１を装填位置で押圧する取り付け部材１０２が装備されている。
光源部８１では、標準仕様でのシングルビームから仕様変更によりマルチビーム化することに対応できるように、複数の半導体レーザ１０１を装填できるスペースが確保されており、各装填位置では、光出射口を兼ねた半導体レーザ１０１の位置決め孔が設けられている。位置決め孔は、半導体レーザ１０１の回転を許容できるように半導体レーザ１０１の外径よりも少し大きく形成されている。
【００２３】
シングルビームあるいはマルチビームのいずれにおいても、半導体レーザ１０１の回転方向位置が決められると、取り付け部材１０２をネジ１０３によりケーシング８００に締結することで半導体レーザ１０１がハウジング８００側に押し付けられた状態で固定される。
【００２４】
図５は、第１光学系に含まれるカップリングレンズ８２の設置構造を説明するための図である。
カップリングレンズ８２の位置は、半導体レーザ１０１からの光軸のばらつきを調整することで設置位置が決まる。このため、光軸のばらつき度合いによって予め決められた位置にカップリングレンズ８２を設けられないことがあるので、調整後の位置に接着剤を用いて固定することになる。接着剤には紫外線硬化樹脂が用いられ、位置調整後の決定位置にカップリングレンズ８２を置いた状態で紫外線を照射して硬化させる。
【００２５】
図５に示すカップリングレンズ８２の設置構造においては、ハウジング８００側の接着固定座面８０２に対してカップリングレンズ８２の位置を調整して光軸のばらつきを抑える必要があるため、紫外線硬化型の接着剤を用いて接着固定座面８０２に対してカップリングレンズ８２の位置を変化させて調整した後に固定する構成が用いられる。このため、ハウジング８００側の接着固定座面８０２の円弧径は、ここに塗布される接着剤の層厚分だけカップリングレンズ８２の外径よりも大きくされている。この場合、当然のことではあるが、接着固定座面８０２の円弧中心は、カップリングレンズ８２の光軸中心と一致させてあるので、接着剤上に搭載されたカップリングレンズ８２の光軸中心が理想の光軸位置から外れることがないようにされる。
【００２６】
一方、接着固定座面８０２は、光軸方向（図中、符号Ｌで示す線）に沿って異なる位置に２カ所設けられている。
これは、焦点距離の異なるカップリングレンズを設置するのを考慮したものである。
つまり、焦点距離の異なるカップリングレンズ８２を選択できるようにする目的は、カップリングレンズ８２の焦点距離により光利用効率を変更することにある。例えば焦点距離を伸ばすと、半導体レーザ１０１（図３参照）からの光束のうちカップリングレンズ８２を透過する光の割合が、焦点距離が短い場合に比べると少なく、光利用効率が低下する。
光利用効率を選択する目的としては、光走査装置に要求される光量によるものである。
【００２７】
光走査装置はポリゴンスキャナ８５を用いているため、回転数に限界がある。
例えば、標準仕様から仕様の変更が選択された場合のような、１ビームで対応できる生産性以上のものが要求される場合には、ポリゴンスキャナ８５の面数を増やすかビーム数を増やすことが考えられる。ビーム数を増やす場合は、対応できる生産性が拡大し、１ビーム時よりも低い回転数で対応できるが、１ビーム当たりに要求される光量は小さくなる。
【００２８】
半導体レーザ１０１は、光量の低い状態ではＬＤ発光せずＬＥＤ発光となり、ＬＥＤ発光の場合は被走査面上では所望のビーム形状が得られなくなる。
ビーム数を増やした場合１ビーム当たりに要求される光量は小さくなるので、確実なＬＤ発光状態を得るためには効率を落として１ビーム時と同等なＬＤ発光光量を得る必要がある。
光利用効率を落とす方法は、光路上にある素子の透過率や反射率を落とすことで実現できるが、効率を変更するための表面処理を変更するとコストアップする要因となり、ハウジング共通化によるコストダウン効果は得られない。
【００２９】
一方、カップリングレンズ８２の焦点距離の変更は、表面処理などを変更する必要なく光量を変更することが可能なため、ハウジングや、その他の部品は共通のまま、光源とカップリングレンズを変更するだけで幅広い要求仕様に対応することができる。図５に示した構成は、上述した理由により光軸に沿って複数箇所に接着固定座面８０２が設けられている。
【００３０】
またカップリングレンズ８２の接着固定座面は、光軸方向に沿って設けられている位置での形態が異ならせてあり、その形態の一つとして、円弧径が２箇所で異なる円弧径とされ、また形態の他の一つである光軸方向に沿った長さも異ならせてある。
これは、カップリングレンズ８２の焦点距離によるもので、カップリングレンズ８２を透過した後の光軸移動量は、同じ移動量を得ようとすると、焦点距離が長い方がカップリングレンズを多く移動させる必要がある。このことは光軸方向も同様である。
このような理由から、カップリングレンズ８２の調整は、レンズ透過後の光線移動量を確保する必要があるため、焦点距離の長いカップリングレンズの接着固定座面の円弧径は、焦点距離の短いカップリングレンズ接着固定座面の円弧径よりも大きく、光軸方向も同様に焦点距離の長い方が座面の長さも、光源に近い側よりも遠い側の方を長く確保している。
【００３１】
上述した説明は、ビーム数を増やし、ポリゴンスキャナ８５の回転数を落として生産性向上に対応するものであるが、解像度変更の場合も同様である。
つまり、１ビームで６００ｄｐｉの解像度を有している光走査装置で、ビーム数を２に増やし、ビーム間のピッチを半分にし、ポリゴンスキャナ８５の回転数をそのままとすると１２００ｄｐｉへと変更することが可能である。
この場合も、１ビーム当たりの光量の要求仕様は変更になるが、カップリングレンズ８２にて効率を落とすことで他の光学素子を変更することなく解像度変更に対応することが可能である。
【００３２】
以上のように、カップリングレンズ８２の設置構造において、マルチビーム化した場合においても、第１光学系において光軸方向に沿って設けられたカップリングレンズ８２の接着固定座面８０２の形態を異ならせることにより、レンズ透過後の光線移動量が確保されることになる。
これにより、ポリゴンスキャナ８５をはじめとする既製部品の利用が可能となり、仕様変更に拘わらず、ハウジングを含めて多くの部品の共通使用が可能となる。この結果、仕様変更に伴う新たなポリゴンスキャナをはじめとしたハウジングの製造を要することがないので、コスト上昇を抑制することが可能となる。
【００３３】
図６、図７は、光源として用いられる半導体レーザ８１（以下、便宜上、光源部８１と称する場合もある）が取り付けられる光源部８１の構成を示す図である。
光源部８１に設けられている取り付け部は、光軸と垂直方向で半導体レーザ１０１の装填位置決めを行う位置決め部８１Ａと、光軸方向（矢印Ｌで示す光軸の延長方向）で半導体レーザ１０１の光出射側の端面を突き当て可能な突き当て面８１Ｂとを備えている。
【００３４】
取り付け部における位置決め部８１Ａは、円弧状断面形状、つまり、光軸方向一方側から見た形状が円弧形状とされ、光軸と垂直方向での半導体レーザ１０１の外径よりも大きくされている。これにより、半導体レーザ１０１は、位置決め部８１Ａ内で回転することができ、ビーム数に応じたビームピッチを調整して位置決めすることができる。
【００３５】
位置決め部８１Ａは、ハウジング８００の表面から突出した周壁であり、これのハウジング側底部には、半導体レーザ１０１からの光出射口内周面と位置決め部８１Ａの内周面との寸法差によって得られる平坦面が形成されており、この平坦面が半導体レーザ１０１の光出射側端面を突き当て可能な突き当て面８１Ｂとして用いられる。
突き当て面８１Ｂに光出射側端面を突き当てられた半導体レーザ１０１は、図７に示すように、取り付け部材１０２がネジ１０３によりケーシング８００に締結固定されると、光出射側と反対側に位置する押圧部１０１Ａが取り付け部材１０２により突き当て面側に向けて押圧されて固定される。
【００３６】
上述した位置決め部８１Ａには、半導体レーザ１０１の光出射側と反対側において光軸方向に沿って延長された壁部からなるガイド部８１Ａ１が設けられている。ガイド部８１Ａ１は、位置決め部８１Ａの周方向で円弧状断面の中心を挟んで対向する位置の２カ所に設けられてリブ状を呈する部分である。
ガイド部８１Ａ１の先端部内周面端部は面取りが行われており、半導体レーザ１０１の装填作業の際にガイドできるようにして挿入しやすくしている。なお、ガイド部８１Ａ１の設置数は、位置決め部８１Ａの周方向で少なくとも２カ所であればよく、ガイドする際の容易性などを考慮してその設置数を決めることが可能である。なお、図６において符号８０３は、取り付け部材１０２を締結するネジ止め部を示している。
【００３７】
以上のような構成においては、標準仕様としてシングルビームを用いる光走査装置を対象として、マルチビーム化する際には、光源の数に応じたカップリングレンズ８２の数が変更される。
カップリングレンズ８２は、ハウジング８００において光軸方向に沿って設けられている接着固定座面８０２のいずれかが選択され、選択された接着固定座面８０２において光軸調整が行われた後、紫外線照射による接着剤の効果が行われることによりハウジング８００に接着固定される。
【００３８】
光源部８１では、半導体レーザ１０１を取り付け部に装填する際に、半導体レーザ１０１が位置決め部８１Ａのガイド部８１Ａ１により突き当て面８１Ｂに向けてガイドされて挿入され、位置決め部８１Ａの内周面に半導体レーザ１０１の外周面が対向する。
位置決め部８１Ａに装填された半導体レーザ１０１は、自身の外径寸法よりも位置決め部８１Ａのサイズが大きいことによるギャップを利用して回転させることによりビームピッチが決められ、この後、取り付け部材１０２がハウジング８００に締結されると、ハウジング８００に締結固定される。
【００３９】
以上の構成においては、仕様変更によるビーム数の変更に際して、光源数の変更に併せて設けられるカップリングレンズの焦点距離を変更することで光量の最適化が可能となる。これにより、仕様が異なる場合においても、光学ハウジングを共通利用できるようにして改めてハウジングを制作する場合と違ってコストダウンを図ることができる。
【００４０】
ところで、上述した構成は光源部８１からポリゴンスキャナ８５に至る第１光学系を対象としているが、図１、２に示した画像形成装置においては、ポリゴンスキャナ８５から出射された光ビームは、感光体ドラム２０に至る部分で走査レンズ及び折り返しミラーにより折り曲げられて感光体ドラム２０に達する。
【００４１】
そこで、図３に示した構成のハウジング８００、つまり、光源部８１から走査レンズ８６までを含むハウジング８００を第１のハウジングとし、走査レンズ以降の光路に配置されている折り返しミラーを搭載したハウジングを第２のハウジングとして準備し、第２のハウジングに第１のハウジングを搭載することで感光体ドラム２０に向けて走査光を導く第２の光走査装置とする。
【００４２】
このような構成においては、仕様変更に応じて第１のハウジング側での光源部８１、カップリングレンズ８２の接着固定座面８０２をそれぞれ選択することにより仕様変更が可能となるので、ハウジング８００，これに装備されるポリゴンスキャナ８５に加えて、第２のハウジングも変更することなく共通使用することが可能となり、光走査装置での共通部品の拡大が図れる。
【００４３】
ところで、上記構成は、リサイクルの際の部品調達においても有利となる。
つまり、上述した構成においては、共通部品を多く使用しながら、部品の変更がなるべく少ない変更量により仕様変更に対応する構成としている。
一方、仕様変更とは別に、リサイクル処理の場合には、回収されてくる画像形成装置は選ぶことができず、出荷可能なリサイクル機は回収される装置と同じ生産性仕様のものに限られてしまう。つまり、回収された装置の仕様がそのまま出荷される装置の仕様となる。
【００４４】
しかし市場から要求されるリサイクル機は、回収されて出荷可能となるリサイクル機と同仕様とは限らず、市場要求と在庫のアンマッチが生じてしまう。
そこで上述した実施例のように、生産性仕様を変更できる構成とすることで、寿命部品である光源の交換時に光源仕様を変更することができ、要求される生産性仕様に対応することが可能である。
これにより、市場要求に応じたリサイクル機の出荷体制を取ることが可能となる。
【符号の説明】
【００４５】
２０  感光体ドラム
８１  光源部
８１Ａ  位置決め部
８１Ａ１  ガイド部
８１Ｂ  突き当て面
８２  カップリングレンズ
１００  画像形成装置
１０１  半導体レーザ
８００  ハウジング
８０２  接着固定座面
【先行技術文献】
【特許文献】
【００４６】
【特許文献１】特開２００６−３２６９０１号公報
【図１】
0006019766.tif 000002
【図２】
0006019766.tif 000003
【図３】
0006019766.tif 000004
【図４】
0006019766.tif 000005
【図５】
0006019766.tif 000006
【図６】
0006019766.tif 000007
【図７】
0006019766.tif 000008